(57)【要約】複数の高周波回路を有する無線装置のローカルリークを低減する無線通信装置、高周波回路システム及びローカルリーク低減方法を提供することを目的とする。本発明にかかる無線通信装置は、入力信号を高周波信号に変換する高周波回路２０乃至２２と、高周波回路２０乃至２２のそれぞれから出力される高周波信号の電力を検出する電力検出部４０と、電力検出部４０によって検出された少なくとも１つの高周波信号の電力に応じて、高周波回路２０乃至２２に発生するローカルリークを低減させるように高周波回路２０乃至２２へ出力する信号に共通の補正を行う共通補正回路１２と、電力検出部４０によって検出されたそれぞれの高周波信号の電力に応じて、高周波回路２０乃至２２に発生するローカルリークを低減させるように高周波回路２０乃至２２へ出力する信号毎に補正を行う個別補正回路１１と、を備えるものである。
2011135807.tif 000002
【特許請求の範囲】
【請求項１】
入力信号を高周波信号に変換する複数の高周波回路と、
前記複数の高周波回路のそれぞれから出力される高周波信号の電力を検出する電力検出手段と、
前記電力検出手段によって検出された少なくとも１つの高周波信号の電力に応じて、前記複数の高周波回路に発生するローカルリークを低減させるように前記複数の高周波回路へ出力する前記入力信号に共通の補正を行う第１の補正回路と、
前記電力検出手段によって検出されたそれぞれの高周波信号の電力に応じて、前記複数の高周波回路に発生するローカルリークを低減させるように、前記それぞれの高周波回路へ出力する前記入力信号毎に補正を行う第２の補正回路と、を備える無線通信装置。
【請求項２】
前記高周波回路への電源供給を制御し、動作させる高周波回路を切り替える電源制御手段をさらに備える、請求項１記載の無線通信装置。
【請求項３】
前記電力検出手段は、前記複数の高周波回路の少なくとも１つと接続され、前記電力検出手段と接続された高周波回路から出力される高周波信号の電力を検出するとともに、前記電力検出手段と接続されていない高周波回路から出力される無線信号を用いて当該電力検出手段と接続されていない高周波回路から出力される高周波信号の電力を検出する、請求項１又は２記載の無線通信装置。
【請求項４】
前記電力検出手段は、前記複数の高周波回路とスイッチを介して接続され、当該スイッチを切り替えることにより、高周波信号の電力を検出する高周波回路を切り替える、請求項２記載の無線通信装置。
【請求項５】
前記電力検出手段は、電源が供給されている高周波回路と接続されるようにスイッチを切り替える、請求項４記載の無線通信装置。
【請求項６】
前記電力検出手段は、前記高周波回路と方向性結合器を介して接続される、請求項２記載の無線通信装置。
【請求項７】
前記電力検出手段は、
テスト信号が入力された高周波回路から出力される信号の電力を検出し、
前記第１及び第２の補正回路は、
前記検出された電力が低減されるように、前記テスト信号へオフセット量を加える、請求項１乃至６のいずれか１項に記載の無線通信装置。
【請求項８】
入力信号を高周波信号に変換する複数の高周波回路と、
前記複数の高周波回路から送信される高周波無線信号を受信して、当該高周波無線信号の電力を検出する電力検出手段と、
前記電力検出手段によって検出された少なくとも１つの高周波信号の電力に応じて、前記複数の高周波回路に発生するローカルリークを低減させるように前記複数の高周波回路へ出力する前記入力信号に共通の補正を行う第１の補正回路と、
前記電力検出手段によって検出されたそれぞれの高周波信号の電力に応じて、前記複数の高周波回路に発生するローカルリークを低減させるように、前記それぞれの高周波回路へ出力する前記入力信号毎に補正を行う第２の補正回路と、を備える高周波回路システム。
【請求項９】
入力信号を高周波信号に変換する複数の高周波回路のうち選択された高周波回路から出力された高周波信号の電力を検出するステップと、
前記検出された高周波信号の電力に応じて、前記複数の高周波回路に発生するローカルリークを低減させるように、前記複数の高周波回路へ出力する前記入力信号に共通の補正を行うステップと、
前記検出されたそれぞれの高周波信号の電力に応じて、前記複数の高周波回路に発生するローカルリークを低減させるように、前記それぞれの高周波回路へ出力する前記入力信号毎に補正を行うステップと、を備えるローカルリーク低減方法。
【請求項１０】
前記高周波信号の電力を検出するステップは、
テスト信号が入力された前記高周波回路から出力された前記高周波信号の電力を検出し、
前記入力信号に共通の補正を行うステップと、前記入力信号毎に補正を行うステップは、
前記検出された電力が低減されるように、前記テスト信号へオフセット量を加える請求項９記載のローカルリーク低減方法。
【発明の詳細な説明】
【技術分野】
【０００１】
本発明は無線通信装置、高周波回路システム及びローカルリーク低減方法に関し、特に補正によりローカルリークを低減させる無線通信装置、補正によりローカルリークを低減させる高周波回路システム及び無線通信装置を用いたローカルリーク低減方法に関する。
【背景技術】
【０００２】
無線通信の品質を向上させるためには、無線装置には、所望の信号のみ出力し、不要な信号を出力しないことが望まれている。不要な信号の例としてはローカル信号(キャリア信号)のリーク（ローカルリーク）が挙げられる。無線装置内部ではローカル信号が、ミキサを駆動している。また、ミキサを駆動させるための電力レベルは大きい。よって、ローカルリーク抑圧は大きな課題であり、さまざまな技術が公知となっている。【０００３】
そこで、特許文献１には、ローカルリークを低減させるためのローカルリーク低減回路が開示されている。ローカルリーク低減回路は、テスト信号をローカルリーク低減回路内の直交変調部へ入力する。テスト信号には、振幅を０とするベースバンド信号が用いられる。このようなテスト信号を用いることにより、直交変調部から出力される信号は、直交変調部へ入力されるローカル信号成分のみを含む。そのため、直交変調部から出力される信号は、ローカルリークとして扱われる。ここで、レベル検出部は、ローカルリークのレベル（電力）を検出し、検出した電力を最小にするように、オフセットをベースバンド信号へ加える。これにより、ローカルリークを低減させる。【０００４】
また、特許文献２にも、テスト用の信号を入力し、直交変調部から出力される電力を検出し、その検出した結果を基に入力信号の制御を行う技術が開示されている。【０００５】
近年、通信品質の向上や見通し外通信を目的として、ビームフォーミング技術を用いた無線装置の開発も盛んになっている。一般にビームフォーミング技術を用いた送信装置では、ひとつのベースバンド信号が送信回路へ入力され、複数のアンテナから高周波信号が出力される。出力される高周波信号間には適宜の位相差があるため、所望のビームパターンが得られる。ビームフォーミングを用いた送信装置の内部には複数の高周波回路があり、ひとつのベースバンド信号が複数の高周波信号へ変換されている。
【先行技術文献】
【特許文献】
【０００６】
【特許文献１】特開平７−０５８７９１号公報
【特許文献２】国際公開第２００７／１２２８４４号
【発明の概要】
【発明が解決しようとする課題】
【０００７】
しかしながら、特許文献１、２に開示されたようなローカルリーク低減回路は、ビームフォーミング送信機に代表される複数の高周波回路を用いる無線装置には適しないという問題があった。なぜなら、無線装置全体としてローカルリーク量を低減させるために、各高周波回路に特許文献１におけるレベル検出部を設けると、回路規模とチップ面積とが増加し、消費電力とコストとが増大するからである。【０００８】
本発明はこのような問題点を解決するためになされたものであり、複数の高周波回路を有する無線装置のローカルリークを低減する無線通信装置、高周波回路システム及びローカルリーク低減方法を提供することを目的とする。
【課題を解決するための手段】
【０００９】
本発明の第１の態様にかかる無線通信装置は、入力信号を高周波信号に変換する複数の高周波回路と、前記複数の高周波回路のそれぞれから出力される高周波信号の電力を検出する電力検出部と、前記電力検出部によって検出された少なくとも１つの高周波信号の電力に応じて、前記複数の高周波回路に発生するローカルリークを低減させるように前記複数の高周波回路へ出力する前記入力信号に共通の補正を行う第１の補正回路と、前記電力検出部によって検出されたそれぞれの高周波信号の電力に応じて、前記複数の高周波回路に発生するローカルリークを低減させるように、前記それぞれの高周波回路へ出力する前記入力信号毎に補正を行う第２の補正回路と、を備えるものである。【００１０】
本発明の第２の態様にかかる高周波回路システムは、入力信号を高周波信号に変換する複数の高周波回路と、前記複数の高周波回路から送信される高周波無線信号を受信して、当該高周波無線信号の電力を検出する電力検出部と、前記電力検出部によって検出された少なくとも１つの高周波信号の電力に応じて、前記複数の高周波回路に発生するローカルリークを低減させるように前記複数の高周波回路へ出力する前記入力信号に共通の補正を行う第１の補正回路と、前記電力検出部によって検出されたそれぞれの高周波信号の電力に応じて、前記複数の高周波回路に発生するローカルリークを低減させるように、前記それぞれの高周波回路へ出力する前記入力信号毎に補正を行う第２の補正回路と、を備えるものである。【００１１】
本発明の第３の態様にかかるローカルリーク低減方法は、入力信号を高周波信号に変換する複数の高周波回路のうち選択された高周波回路から出力された高周波信号の電力を検出するステップと、前記検出された高周波信号の電力に応じて、前記複数の高周波回路に発生するローカルリークを低減させるように、前記複数の高周波回路へ出力する前記入力信号に共通の補正を行うステップと、前記検出されたそれぞれの高周波信号の電力に応じて、前記複数の高周波回路に発生するローカルリークを低減させるように、前記それぞれの高周波回路へ出力する前記入力信号毎に補正を行うステップと、を備えるものである。
【発明の効果】
【００１２】
本発明により、複数の高周波回路を有する無線装置のローカルリークを低減する無線通信装置、高周波回路システム及びローカルリーク低減方法を提供することができる。
【図面の簡単な説明】
【００１３】
【図１】実施の形態１にかかる無線装置の構成図である。
【図２】実施の形態２にかかる無線装置の構成図である。
【図３】実施の形態２にかかる無線装置の構成図である。
【図４】実施の形態２にかかる無線装置の構成図である。
【図５】実施の形態２にかかる無線装置の構成図である。
【図６】実施の形態２にかかる補正処理にかかるシーケンスである。
【図７】実施の形態３にかかる無線装置の構成図である。
【図８】実施の形態４にかかる無線装置の構成図である。
【図９】実施の形態５にかかる無線装置の構成図である。
【図１０】実施の形態６にかかる無線装置の構成図である。
【発明を実施するための形態】
【００１４】
（実施の形態１）
以下、図面を参照して本発明の実施の形態について説明する。図１を用いて本発明の実施の形態１にかかる無線通信装置の構成例について説明する。無線通信装置は、ベースバンド処理部１０と、高周波回路２０乃至２２と、アンテナ３０乃至３２と、電力検出部４０とを備えている。また、ベースバンド処理部１０は、個別補正回路１１と、共通補正回路１２とを有している。
【００１５】
ベースバンド処理部１０は、入力された信号のベースバンド処理を実施し、入力信号を複数の高周波回路２０乃至２２へ出力する。そのために、ベースバンド処理部１０は、入力信号を複数の経路へ分配し、高周波回路２０乃至２２へ出力する。
【００１６】
高周波回路２０は、ベースバンド処理部１０より出力された入力信号を変調し高周波信号を生成する。高周波回路２０は、発振器（図示せず）から出力されるローカル信号と、ベースバンド処理部１０から出力される入力信号とを用いて、高周波信号を生成する。高周波回路２１及び２２も同様に、高周波信号を生成する。なお、図１においては、３つの高周波回路を有する無線通信装置の例について示しているが、高周波回路の数は３つに制限されるものではない。以降の説明においても同様である。高周波回路２０は、生成した高周波信号をアンテナ３０及び電力検出部４０へ出力する。高周波回路２１及び２２も同様に、生成した高周波信号をアンテナ３１又は３２と、電力検出部４０とへ出力する。
【００１７】
アンテナ３０は、高周波回路２０から出力された高周波信号を無線信号として、外部装置等へ送信する。アンテナ３１及び３２も同様に、高周波回路２１及び２２から出力された高周波信号を無線信号として、外部装置等へ送信する。
【００１８】
電力検出部４０は、高周波回路２０乃至２２から出力された高周波信号の電力を検出する。具体的には、電力検出部４０は、高周波回路２０乃至２２から出力された高周波信号に基づいて、ローカルリークの電力（レベル）を検出する。以下に、ローカルリーク電力の検出方法の１例について説明する。
【００１９】
ベースバンド処理部１０は、高周波回路２０乃至２２に対して、振幅を０とするテスト信号を出力する。この場合に、高周波回路２０乃至２２に入力される入力信号の振幅は０であるため、それぞれの高周波回路２０乃至２２から出力される信号は、発振器から出力されたローカル信号成分を有するローカルリークのみが含まれる。電力検出部４０は、それぞれの高周波回路２０乃至２２から出力される信号の電力を検出し、検出結果をベースバンド処理部１０へ出力する。共通補正回路１２は、高周波回路２０乃至２２へ出力する信号の位相、電力等を変化させながら、電力検出部４０から出力されるローカルリークの電力を監視する。共通補正回路１２は、電力検出部４０から出力されるローカルリークの電力が最小となる場合の制御値（オフセット量）を保持し、高周波回路２０乃至２２へ出力する信号に対して、保持しているオフセット量を加える。オフセット量には、例えば、電圧又はデジタル値等がある。このようにして、高周波回路２０乃至２２のいずれかのローカルリーク信号の電力を検出し、その電力を最小にするようなオフセット量を決定し、当該オフセット量を高周波回路２０乃至２２に出力する信号に対して共通に適用する。
【００２０】
次に、個別補正回路１１も同様に、高周波回路２０乃至２２から出力されるローカルリーク信号の電力を最小とするようなオフセット量を決定する。ここで、決定されたオフセット量は、ローカルリーク信号を検出した高周波回路へ出力する信号のみに適用する。つまり、高周波回路２１から出力されるローカルリーク信号を用いて決定されたオフセット量は、高周波回路２１へ出力される信号にのみ加えられる。
【００２１】
ここで、個別補正回路１１及び共通補正回路１２を用いて、高周波回路２０乃至２２へ出力される信号にオフセット量を適用する理由について説明する。複数の高周波回路を含む無線通信装置においては、複数の高周波回路に共通して発生するローカルリーク（以下、系統的なローカルリーク、と称する）と、それぞれの高周波回路に独立に発生するローカルリーク（以下、ランダムなローカルリーク、と称する）とが存在する。
【００２２】
例えば、系統的なローカルリークの発生要因は、シングルエンド信号を差動化及びその逆を行うバラン回路の不完全性やレイアウトの非対称性等である。このように発生する系統的なローカルリークは、それぞれの高周波回路へ出力される信号に共通のオフセット量を用いることにより低減される。
【００２３】
ランダムなローカルリークの発生要因は、差動対をなすＦＥＴの閾値のばらつき等である。このように、閾値のばらつきは、それぞれの高周波回路に含まれるトランジスタ毎に異なる。そのため、それぞれの高周波回路へ出力される信号毎に、異なるオフセット量を用いる必要がある。
【００２４】
以上説明したように、本発明の実施の形態１にかかる無線通信装置を用いることにより、系統的なローカルリークとランダムなローカルリークとについて、それぞれオフセット量を算出して、高周波回路２０乃至２２へ出力される信号に対して、算出されたオフセット量を適用することができる。ここで、系統的なローカルリークを低減させるためのオフセット量を用いず、ランダムなローカルリークを低減させるためのオフセット量のみを用いた場合、次のような問題が生じる。上述した場合においては、系統的なローカルリークとランダムなローカルリークとを一度に行うためのオフセット量を算出し、適用する必要がある。この場合、結果として、高い分解能の補正回路を、広い補正範囲において動作させる必要が生じる。従って、チップ面積、消費電力及びコストの増大を招く。
【００２５】
一方、系統的なローカルリークとランダムなローカルリークについてそれぞれオフセット量を算出して、適用することにより上述の問題を解決することができる。つまり、個別補正回路１１は、系統的なローカルリークに対する補正が行われた後に、ランダムなローカルリークのみを低減させる対応を行えばよい。一般的に、系統的なローカルリークに対応するためのオフセット量における補正範囲は広いが、分解能を低くしてもよい。一方、ランダムなローカルリークに対応するためのオフセット量における補正範囲は狭いが、分解能を高くする必要がある。これより、系統的なローカルリークに対応する共通補正回路１２と、ランダムなローカルリークに対応する個別補正回路１１とを分けることにより、結果として、チップ面積、消費電力及びコストの増大を抑え、広い補正範囲において高精度な補正を行うことを可能とする。
【００２６】
（実施の形態２）
続いて、図２を用いて本発明の実施の形態２にかかる無線通信装置の構成例について説明する。無線通信装置は、ベースバンド処理部１０と、高周波回路２０乃至２２と、アンテナ３０乃至３２と、電力検出部４１と、電源５０と、電源制御部６０と、スイッチ７０乃至７２と、を備えている。ベースバンド処理部１０と、高周波回路２０乃至２２と、アンテナ３０乃至３２とは、図１と同様の構成であるため、同一の符号を付して説明する。また、ベースバンド処理部１０は、図１と同様に、個別補正回路１１と、共通補正回路１２とを有している。
【００２７】
電源５０は、スイッチ７０乃至７２を介して、高周波回路２０乃至２２へ電源を供給する。また、電源制御部６０は、スイッチ７０乃至７２のＯＮ／ＯＦＦ状態を制御する。このような構成により、電源制御部６０は、高周波信号の電力を検出する対象の高周波回路のみを動作させるために、検出対象の高周波回路に接続されているスイッチのみをＯＮ状態にする。これにより、電源５０は、スイッチがＯＮ状態にされた高周波回路のみに電源を供給し、電源を供給された高周波回路は、高周波信号を出力する。
【００２８】
電源制御部６０は、電力検出部４１から出力される電力検出結果を用いて、電力検出が実行されていない高周波回路を選択し、選択された高周波回路に接続されているスイッチをＯＮ状態に切り替える。また、電源制御部６０は、出力された信号の電力が電力検出部４１によって検出され、個別補正回路１１による補正を完了した場合、ＯＮ状態のスイッチをＯＦＦ状態に切り替える。
【００２９】
電力検出部４１は、高周波回路２２とアンテナ３２とに接続されている。ここで、電力検出部４１は、高周波回路２０とアンテナ３０とに接続されてもよく、高周波回路２１とアンテナ３１とに接続されてもよい。つまり、電力検出部４１は、いずれかの高周波回路とアンテナとに接続されていればよい。
【００３０】
スイッチ７２がＯＮ状態であり、その他のスイッチがＯＦＦ状態である場合、電力検出部４１は、高周波回路２２から出力される高周波信号を用いて電力を検出する。ここで、スイッチ７０もしくは７１がＯＮ状態であり、その他のスイッチがＯＦＦ状態である場合、電力検出部４１は、アンテナ３０もしくは３１から送信される信号を、アンテナ３２を介して受信する。電力検出部４１は、直接接続されていない高周波回路２０及び２１から出力される信号についても、アンテナ３２を介して受信した信号を用いて、電力を検出することができる。これより、高周波回路毎に電力検出部を設ける必要がないため、チップ面積の増大を防止することができる。
【００３１】
また、図３に示すように、高周波回路２２に加えて、高周波回路２０にも電力検出部４２を加えてもよい。この場合、アンテナ３１から送信される信号は、電力検出部４１及び４２により受信されるため、無線通信装置は、高周波回路２１から出力される高周波信号の信号電力を、図２における無線通信装置と比較して、高精度に検出することができる。また、電力検出部４１を、高周波回路２２及び２０に接続し、１つの電力検出部のみを用いてもよい。さらに、図４に示すように、無線装置内の高周波回路２０乃至２２すべてに、電力検出部４１乃至４３を接続してもよい。もしくは、高周波回路２０乃至２２すべてに電力検出部を接続する場合に、ひとつの電力検出部を高周波回路２０乃至２２に接続してもよい。
【００３２】
また、図５に示すように、電力検出部４１と、高周波回路２２及びアンテナ３２とは、容量素子８０を介して接続されてもよい。このように、電力検出部４１は、容量素子８０を介して高周波回路２２及びアンテナ３２と接続されることにより、ＤＣ電位を分離して検出することができる。ここで、ＤＣ電位とは、ローカルリークを示す電位である。
【００３３】
続いて、図６を用いて本発明の実施の形態２にかかる無線通信装置における補正処理の流れについて説明する。
【００３４】
はじめに、電源制御部６０は、高周波信号の電力を検出する対象の高周波回路のみから信号を出力させる。そのために、電源制御部６０は、対象の高周波回路に接続されているスイッチをオン状態にする（Ｓ１）。次に、ベースバンド処理部１０は、複数の高周波回路へテスト信号を出力する（Ｓ２）。例えば、テスト信号は、振幅を０とする信号である。
【００３５】
次に、電力検出部４１は、高周波回路から出力された高周波信号の電力を検出する（Ｓ３）。高周波回路は、振幅を０とする信号を入力している。そのため、高周波回路が出力する信号は、ローカル信号が漏洩したローカルリークのみを含む。これより、高周波回路から出力される信号の電力を検出することにより、ローカルリークを検出することができる。
【００３６】
次に、ベースバンド処理部１０は、複数の高周波回路に出力する信号に、共通の補正を行ったか否かを判定する（Ｓ４）。ベースバンド処理部１０は、共通の補正を行っていると判定した場合、個別補正回路１１を用いて、高周波信号を出力した高周波回路へ出力する信号の補正を行う（Ｓ６）。具体的には、個別補正回路１１は、電力検出部４１から出力されたローカルリークの電力が低減されるように、信号に加えるオフセット量を決定する。さらに、個別補正回路１１は、決定されたオフセット量を加えた信号を高周波回路へ出力する。
【００３７】
ベースバンド処理部１０は、共通の補正を行っていないと判定した場合、共通補正回路１２を用いて、ベースバンド処理部１０から複数の高周波回路へ出力する信号に共通の補正を行う（Ｓ５）。ベースバンド処理部１０は、共通の補正を行った後、個別補正回路１１を用いて、高周波信号を出力した高周波回路へ出力する信号の補正を行う（Ｓ６）。
【００３８】
次に、ベースバンド処理部１０は、それぞれの高周波回路へ出力する信号のうち、オフセット量を加えていない信号があるか否かを判定する（Ｓ７）。全ての信号にオフセット量を加え、補正が終了している場合には、処理を終了する。オフセット量を加えていない信号がある場合には、ステップＳ１に戻り、電源制御部６０は、異なる高周波回路の信号を出力させるように制御する。
【００３９】
上述した処理の流れにおいて、例えば、共通補正回路１２において実施する補正は、一度だけ行えばよい。無線通信装置は、補正を実施する際に用いたオフセット量を無線通信装置内の記憶領域等に保持しておき、無線装置使用時には、ステップＳ１乃至Ｓ４を省略して、ステップＳ５を行うことにより、無線装置使用時の手順を簡略化することができる。ただし、上述した共通に実施する補正は、一定時間間隔毎に複数回実施してもよい。また、個別補正回路１１において実施する補正は、無線装置使用開始時と、その後適宜の時間間隔をあけて行う必要がある。個別補正回路１１において用いられるオフセット量は、温度変化等、外部条件の変化により最適値が変化するからである。
【００４０】
（実施の形態３）
続いて、図７を用いて本発明の実施の形態３にかかる無線通信装置の構成例について説明する。図７にかかる無線通信装置は、高周波回路２０と電力検出部４４との間にスイッチ７３を設けている。また、高周波回路２１と電力検出部４４との間にスイッチ７４を設け、高周波回路２２と電力検出部４４との間にスイッチ７５を設けている。スイッチ７３乃至７５のいずれかをオン状態とすることにより、電力検出部４４は、オン状態とされたスイッチに対応する高周波回路から出力された高周波信号の電力を検出する。また、スイッチ７０とスイッチ７３とは連動して動作してもよい。つまり、スイッチ７０がＯＮ状態に切り替わることに伴い、スイッチ７３もＯＮ状態に切り替わるよう制御されてもよい。例えば、電源制御部６０が、スイッチ７０と、スイッチ７３とを同一タイミングにＯＦＦ状態からＯＮ状態、もしくはＯＮ状態からＯＦＦ状態へ切り替えてもよい。スイッチ７１及び７４と、スイッチ７２及び７５とも、それぞれ同様に連動して動作してもよい。
【００４１】
これにより、電力検出の対象とする高周波回路からのみ、電力検出部４４へ信号が出力される。また、スイッチ７３乃至７５を用いることにより、アンテナ３０乃至３２間に発生するクロストークの影響を防止することができる。つまり、アンテナ３０から送信された信号をアンテナ３１もしくはアンテナ３２において受信され、その受信された信号が、電力検出部４４へ出力されることを防止することができる。
【００４２】
なお、ベースバンド処理部１０から振幅を有するデータが高周波回路２０乃至２２へ出力され、アンテナ３０乃至３２を介して実際の通信を行う場合には、例えば、電源制御部６０は、スイッチ７０乃至７２とスイッチ７３乃至７５との間の連動を解除する。さらに、スイッチ７３乃至７５を全てオフ状態とし、電源制御部６０は、スイッチ７０乃至７２を適宜オン状態とする。
【００４３】
また、アンテナ３０乃至３２間のクロストークが無視できるのであれば、例えば、アンテナ３０が、アンテナ３１からの信号を受信することはない。そのため、このような場合には、スイッチ７０乃至７２を全てオン状態とし、スイッチ７３乃至７５を切り替えるように制御してもよい。
【００４４】
（実施の形態４）
続いて、図８を用いて本発明の実施の形態４にかかる無線通信装置の構成例について説明する。図８における無線通信装置は、高周波回路２０とアンテナ３０との間に増幅部９０を設けている。また、増幅部９０の入力側と電力検出部４４との間にスイッチ７３が設けられている。増幅部９１も同様に、高周波回路２１とアンテナ３１との間に設けられている。さらに、増幅部９２も同様に、高周波回路２２とアンテナ３２との間に設けられている。このように増幅部９０を設けることにより、アンテナ３１又は３２からアンテナ３０へ送信された信号が、電力検出部４４へ漏洩することを防止することができる。増幅部９１及び９２を設けることによっても同様の効果を得ることができる。そのため、増幅部９０乃至９２を設けることにより、アンテナ３０乃至３２間のクロストークを排除することができる。
【００４５】
（実施の形態５）
続いて、図９を用いて本発明の実施の形態５にかかる無線通信装置の構成例について説明する。図９における無線通信装置は、高周波回路２０とアンテナ３０との間に方向性結合器１００を設けている。また、方向性結合器１０１は、高周波回路２１とアンテナ３１との間に、方向性結合器１０２は、高周波回路２２とアンテナ３２との間にそれぞれ設けられている。
【００４６】
方向性結合器１００乃至１０２は、高周波回路２０乃至２２から出力される高周波信号を非常に小さな損失によりアンテナ３０乃至３２へ出力し、さらに高周波回路２０乃至２２から出力される高周波信号を電力検出部４４へ分配する。これにより、オン状態となっているスイッチ７０乃至７２のいずれかの高周波回路から出力される信号の電力を検出することができる。
【００４７】
また、方向性結合器１００乃至１０２は、高周波回路２０乃至２２から出力された信号を、アンテナ３０乃至３２と、電力検出部４４とへ出力する。しかし、アンテナ３０乃至３２及び電力検出部４４からの信号を高周波回路２０乃至２２へ出力することはない。そのため、方向性結合器１００乃至１０２を用いることにより、アンテナ３０乃至３２及び電力検出部４４から、高周波回路２０乃至２２への信号漏洩を防止することができる。
【００４８】
（実施の形態６）
続いて、図１０を用いて本発明の実施の形態６にかかる高周波回路システムの構成例について説明する。高周波回路システムは、送信回路１１０と、検出回路１２０とから構成される。送信回路１１０は、ベースバンド処理部１０と、高周波回路２０乃至２２と、アンテナ３０乃至３２と、電源５０と、電源制御部６０と、スイッチ７０乃至７２とを備えている。検出回路１２０は、アンテナ３３と、電力検出部４５とを備えている。
【００４９】
アンテナ３３は、アンテナ３０乃至３２から送信される高周波信号を受信するために設けられた専用アンテナである。検出回路１２０は、アンテナ３０乃至３２と、アンテナ３３との間の無線通信により、高周波回路２０乃至２２から出力される高周波信号を受信し、電力を検出することができる。また、アンテナ３３は、専用アンテナであるため、アンテナ３０乃至３２から送信される高周波信号を受信するために、適したアンテナ形状や配置方法に調整することができる。そのため、アンテナ３３は、本発明の実施の形態２のアンテナ３０乃至３２のように、高周波信号を送受信するためのアンテナよりも、高感度に高周波回路２０乃至２２から出力される信号の電力を検出することができる。また、無線通信装置内に、送信回路１１０のほかに受信回路が設けられている場合、受信回路に設けられているアンテナに検出部を接続してもよい。これにより、検出部に専用のアンテナが不要となり、アンテナサイズの小型化とコスト低減が可能となる。
【００５０】
なお、本発明は上記実施の形態に限られたものではなく、趣旨を逸脱しない範囲で適宜変更することが可能である。
【００５１】
以上、実施の形態を参照して本願発明を説明したが、本願発明は上記によって限定されるものではない。本願発明の構成や詳細には、発明のスコープ内で当業者が理解し得る様々な変更をすることができる。
【００５２】
この出願は、２０１０年４月２７日に出願された日本出願特願２０１０−１０２３４３を基礎とする優先権を主張し、その開示の全てをここに取り込む。
【符号の説明】
【００５３】
１０  ベースバンド処理部
１１  個別補正回路
１２  共通補正回路
２０〜２２  高周波回路
３０〜３３  アンテナ
４０〜４５  電力検出部
５０  電源
６０  電源制御部
７０〜７５  スイッチ
８０  容量素子
９０〜９２  増幅部
１００〜１０２  方向性結合器
１１０  送信回路
１２０  検出回路
【図１】
2011135807.tif 000003
【図２】
2011135807.tif 000004
【図３】
2011135807.tif 000005
【図４】
2011135807.tif 000006
【図５】
2011135807.tif 000007
【図６】
2011135807.tif 000008
【図７】
2011135807.tif 000009
【図８】
2011135807.tif 000010
【図９】
2011135807.tif 000011
【図１０】
2011135807.tif 000012
【国際調査報告】
2011135807.tif 000013
2011135807.tif 000014